(57)【要約】【課題】競技中やトレーニング中の利用者の運動動作状態を具体的に把握して、運動動作中に問題の発生を認識して運動動作状態を改善することにより記録の向上を図ることができる運動支援装置、運動支援方法及び運動支援プログラムを提供する。【解決手段】インターフェース機器１００に内蔵されたセンサ部１１０より、ユーザＵＳの運動動作状態（走行状態）を示す情報として、ペース及びピッチの数値を運動動作中に取得し、これらの数値が、走行距離に対して予め設定された許容範囲とする数値範囲内を維持しているか否かを判定する分析判定処理を行う。これによって、ユーザＵＳの現在時点の運動動作状態における設定された数値範囲を逸脱している問題箇所を判定して、その分析結果に基づいて、ユーザＵＳの運動動作中に、インターフェース機器１００に設けられた表示部１３１に、当該運動動作状態及びその問題箇所に応じた報知動作を行う。【選択図】図２
2014045782.tif 000002
【特許請求の範囲】
【請求項１】
歩行又は走行の運動動作中の利用者の運動動作状態に関連する動作データを、該利用者の前記運動動作中に検出する検出部と、
前記検出部が前記動作データを検出する毎に、検出された前記動作データに基づいて、前記利用者の移動速度に関連する値を有する第１の動作情報値と前記利用者の単位時間当たりの歩数に関連する値を有する第２の動作情報値とを取得し、前記第１の動作情報値を該第１の動作情報値の許容範囲として予め設定された第１の数値範囲と比較し、前記第２の動作情報値を該第２の動作情報値の許容範囲として予め設定された第２の数値範囲と比較する分析判定部と、
前記分析判定部により前記第１又は第２の動作情報値の少なくとも一方が対応する前記第１又は第２の数値範囲外の値を有していると判定されたときに、前記第１又は前記第２の数値範囲外の値を有している前記第１又は第２の動作情報値に対する報知動作を、前記利用者の前記運動動作中に実行する出力部と、
を備えることを特徴とする運動支援装置。
【請求項２】
前記分析判定部は、更に、前記第１の動作情報値と前記第２の情報値とに基づいて、前記利用者の移動距離を取得し、前記移動距離に対して所定の距離毎の複数の移動距離範囲を設定し、
前記第１の数値範囲及び前記第２の数値範囲は、前記各移動距離範囲に対して設定され、
前記分析判定部は、取得した前記移動距離が含まれる前記移動距離範囲に対して設定されている前記第１の数値範囲及び前記第２の数値範囲を用いて前記比較を行うことを特徴とする請求項１に記載の運動支援装置。
【請求項３】
前記第１の数値範囲及び前記第２の数値範囲は、それぞれ、上限値と下限値を有し、
前記分析判定部は、前記第１の動作情報値及び前記第２の動作情報値が、対応する前記第１の数値範囲又は前記第２の数値範囲のそれぞれの前記上限値より大きい値であるか、前記下限値より小さい値であるか、前記上限値と前記下限値の範囲内の値であるかを判定し、
前記出力部は、文字情報を含む画像を表示する表示部を有し、
前記出力部は、前記分析判定部により、前記第１の動作情報値及び前記第２の動作情報値が、対応する前記第１の数値範囲又は前記第２の数値範囲のそれぞれの前記上限値と前記下限値の範囲内の値であると判定されたとき、前記表示部に、前記画像情報として、前記第１の動作情報値及び前記第２の動作情報値に対応した第１の画像に含まれる文字情報の文字を第１の大きさ及び第１の文字色で表示する標準表示を行い、前記分析判定部により、前記第１の動作情報値と前記第２の動作情報値の一方が、対応する前記第１の数値範囲又は前記第２の数値範囲の範囲外の値であると判定されたとき、前記報知動作として、前記第１の動作情報値と前記第２の動作情報値の前記一方に対応した第２の画像に含まれる文字情報の文字を、（ｉ）前記表示部に前記第１の大きさより大きい第２の大きさで表示する、（ii）前記表示部に前記文字を前記第１の文字色と異なる第２の文字色で表示する、（iii）前記表示部に前記文字を第１の時間間隔で点滅表示する、の少なくとも何れかで表示する注意表示を行い、
前記出力部は、前記分析判定部により、前記第１の動作情報値及び前記第２の動作情報値が、共に、対応する前記第１の数値範囲又は前記第２の数値範囲のそれぞれの範囲外の値であると判定されたとき、前記報知動作として、前記第１の動作情報値及び前記第２の動作情報値に対応した第３の画像に含まれる文字情報の文字を、（iv）前記表示部に前記第１の大きさより大きい第３の大きさで表示する、（ｖ）前記表示部に前記第１の文字色と異なる第３の文字色で表示する、（vi）前記表示部に前記文字を前記第１の時間間隔と異なる第２の時間間隔で点滅表示する、の少なくとも何れかで表示する警告表示を行うことを特徴とする請求項１又は２に記載の運動支援装置。
【請求項４】
前記出力部は、
前記注意表示において、前記分析判定部により、前記第１の動作情報値と前記第２の動作情報値の一方が、対応する前記第１の数値範囲又は前記第２の数値範囲の前記上限値より大きい値であると判定されたときと、前記下限値より小さい値であると判定されたときと、で前記第２の画像に含まれる文字情報の文字を互いに異なる色で表示し、
前記警告表示において、前記分析判定部により、前記第１の動作情報値が前記第１の数値範囲の前記上限値より大きい値であると判定されたときと、前記下限値より小さい値であると判定されたときと、で前記第１の動作情報値に対応する前記文字の色を互いに異なる色に設定し、前記分析判定部により、前記第２の動作情報値が前記第２の数値範囲の前記上限値より大きい値であると判定されたときと、前記下限値より小さい値であると判定されたときと、で前記第３の画像に含まれる文字情報の文字を互いに異なる色で表示することを特徴とする請求項３に記載の運動支援装置。
【請求項５】
前記第２の画像に含まれる文字情報は、前記分析判定部により、前記第１の動作情報値が前記第１の数値範囲の範囲外の値であると判定されたとき、前記利用者の前記移動速度の数値を示す文字を含み、前記分析判定部により、前記第２の動作情報値が前記第２の数値範囲の範囲外の値であると判定されたとき、前記利用者の前記歩数の数値を示す文字を含み、
前記第３の画像情報に含まれる文字情報は、前記利用者の前記移動速度の数値と前記利用者の前記歩数の数値とを示す文字を含むことを特徴とする請求項３又は４に記載の運動支援装置。
【請求項６】
前記第２の画像に含まれる文字情報は、前記分析判定部により、前記第１の動作情報値が前記第１の数値範囲の範囲外の値であると判定されたとき、前記利用者に対して前記移動速度を前記第１の数値範囲の範囲内の値にするように指示する文言の文字を含み、前記分析判定部により、前記第２の動作情報値が前記第２の数値範囲の範囲外の値であると判定されたとき、前記利用者に対して前記歩数を前記第２の数値範囲の範囲内の値にするように指示する文言の文字を含み、
前記第３の画像情報に含まれる文字情報は、前記利用者に対して前記移動速度を前記第１の数値範囲の範囲内の値にし、且つ、前記歩数を前記第２の数値範囲の範囲内の値にするように指示する文言の文字を含むことを特徴とする請求項４又は５に記載の運動支援装置。
【請求項７】
前記出力部は、
前記標準表示において、前記表示部の背景部分の表示色を第１の背景色に設定し、
前記注意表示において、（vii）前記表示部の背景部分の表示色を前記第１の背景色と異なる第２の背景色に設定する、（viii）前記表示部の背景部分を第３の時間間隔で点滅表示する、の少なくとも何れかを行い、
前記警告表示において、（ix）前記表示部の背景部分の表示色を前記第１の背景色及び前記第２の背景色と異なる第３の背景色に設定する、（ｘ）前記表示部の背景部分を前記第２の時間間隔と異なる第４の時間間隔で点滅表示する、の少なくとも何れかを行うことを特徴とする請求項３乃至６のいずれかに記載の運動支援装置。
【請求項８】
前記出力部は、さらに、音を発生する音響部を有し、
前記出力部は、
前記分析判定部により、前記第１の動作情報値と前記第２の動作情報値の一方が、対応する前記第１の数値範囲又は前記第２の数値範囲の範囲外の値であると判定されたとき、前記報知動作として、前記音響部に第１の音による注意音を発生させ、
前記分析判定部により、前記第１の動作情報値及び前記第２の動作情報値が共に、対応する前記第１の数値範囲又は前記第２の数値範囲のそれぞれの範囲外の値であると判定されたとき、前記報知動作として、前記音響部に前記第１の音と異なる第２の音による警告音を発生させることを特徴とする請求項１乃至７のいずれかに記載の運動支援装置。
【請求項９】
前記出力部は、さらに、振動を発生する振動部を有し、
前記出力部は、
前記分析判定部により、前記第１の動作情報値と前記第２の動作情報値の一方が、対応する前記第１の数値範囲又は前記第２の数値範囲の範囲外の値であると判定されたとき、前記報知動作として、前記振動部に第１の振動パターンの振動を発生させ、
前記分析判定部により、前記第１の動作情報値及び前記第２の動作情報値が共に、対応する前記第１の数値範囲又は前記第２の数値範囲のそれぞれの範囲外の値であると判定されたとき、前記報知動作として、前記振動部に前記第１の振動パターンと異なる第２の振動パターンの振動を発生させることを特徴とする請求項１乃至８のいずれかに記載の運動支援装置。
【請求項１０】
前記検出部は、前記利用者の前記移動速度の変化の割合を前記動作データとして検出する加速度センサと、前記利用者の移動方向の変化を前記動作データとして検出する角速度センサと、を有することを特徴とする請求項１乃至９のいずれかに記載の運動支援装置。
【請求項１１】
前記検出部は、前記人体の地理的な位置と、前記人体の前記移動速度と、を前記動作データとして検出する位置センサを、さらに有することを特徴とする請求項１０に記載の運動支援装置。
【請求項１２】
歩行又は走行の運動動作中の利用者の運動動作状態に関連する動作データを、該利用者の前記運動動作中に検出し、
前記動作データを検出する毎に、前記検出した前記動作データに基づいて、前記利用者の移動速度に関連する第１の動作情報値と、前記利用者の単位時間当たりの歩数に関連する第２の動作情報値とを取得し、
前記第１の動作情報値を該第１の動作情報値の許容範囲として予め設定された第１の数値範囲と比較し、
前記第２の動作情報値を該第２の動作情報値の許容範囲として予め設定された第２の数値範囲と比較し、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行することを特徴とする運動支援方法。
【請求項１３】
コンピュータに、
歩行又は走行の運動動作中の利用者の運動動作状態に関連する動作データを、該利用者の前記運動動作中に検出させ、
前記動作データを検出する毎に、前記検出した前記動作データに基づいて、前記利用者の移動速度に関連する第１の動作情報値と、前記利用者の単位時間当たりの歩数に関連する第２の動作情報値とを取得させ、
前記第１の動作情報値を該第１の動作情報値の許容範囲として予め設定された第１の数値範囲と比較させ、
前記第２の動作情報値を該第２の動作情報値の許容範囲として予め設定された第２の数値範囲と比較させ、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行させることを特徴とする運動支援プログラム。
【発明の詳細な説明】
【技術分野】
【０００１】
本発明は、運動支援装置、運動支援方法及び運動支援プログラムに関し、特に、競技中やトレーニング中等における利用者の運動動作状態の把握、改善に適用可能な運動支援装置、運動支援方法及び運動支援プログラムに関する。
【背景技術】
【０００２】
近年、健康志向の高まりにより、日常的にランニングやウォーキング、サイクリング等の運動を行い、健康状態を維持、増進する人々が増えている。さらに、日常の運動を通して、マラソン大会等の競技大会（レース）への参加を目指す人も増加している。競技大会への参加を目指す人々は、当該競技での好成績を目標としているため、効率的かつ効果的なトレーニング方法に対する意識や関心が非常に高い。
【０００３】
現在、このような要望に対応する機器が種々市販されている。例えばランナー向けのツールとして、ラップタイムやスプリットタイム等の時間を計測できるランニングウォッチが知られている。また、このような時間計測機能に加え、ＧＰＳ（Global Positioning System；全地球測位システム）を利用して走行距離や速度（ペース）を測定できるものも知られている。なお、これらの機器はいずれも、その時点までの測定結果を表示するものである。
【０００４】
上述したような機能を備えた機器（システム）については、例えば特許文献１に、ユーザが心拍計や加速度計、ＧＰＳ受信機等の種々のセンサを装着して、運動動作中の心拍数や距離、速度、歩数、消費カロリー等の各種のパフォーマンスパラメータを検知し、ユーザに現在時点の情報として提供することが記載されている。また、特許文献１には、予め設定したトレーニングルーチンに基づき、検出された現在時点のパフォーマンスパラメータ（心拍数や速度）に応じて、所定のトレーニング動作をさせるようにユーザを指導するモニタリングシステムが記載されている。
【先行技術文献】
【特許文献】
【０００５】
【特許文献１】特開２０１０−２６４２４６号公報
【発明の概要】
【発明が解決しようとする課題】
【０００６】
マラソン大会中やランニング等のトレーニング中においては、走りのペースはいつもと同じであっても、実際には無意識のうちに、例えばストライド（歩幅）を伸ばすことでそのペースを維持して走っているような場合がある。このような場合にはストライドに無理がかかっているため、それによって過度に体力を消耗してしまい、その結果、競技やトレーニングの後半に疲労が蓄積してペースの低下を招くことがある。
【０００７】
これに対して、背景技術に記載したような機器や特許文献等に開示された手法においては、ユーザ（ランナー）はラップタイムやスプリットタイム、ペース等の走行時の速度に関連する時間情報のみでしか、自分の運動動作状態を知ることができなかった。そのため、上述したようなペースの低下を招く要因（問題箇所）を見つけることができず、競技やトレーニングの後半における失速を改善することが難しかった。
【０００８】
そこで、本発明は、上述した問題点に鑑み、競技中やトレーニング中の利用者の運動動作状態を具体的に把握して、運動動作中に問題の発生を認識して運動動作状態を改善することにより記録の向上を図ることができる運動支援装置、運動支援方法及び運動支援プログラムを提供することを目的とする。
【課題を解決するための手段】
【０００９】
本発明に係る運動支援装置は、
歩行又は走行の運動動作中の利用者の運動動作状態に関連する動作データを、該利用者の前記運動動作中に検出する検出部と、
前記検出部が前記動作データを検出する毎に、検出された前記動作データに基づいて、前記利用者の移動速度に関連する値を有する第１の動作情報値と前記利用者の単位時間当たりの歩数に関連する値を有する第２の動作情報値とを取得し、前記第１の動作情報値を該第１の動作情報値の許容範囲として予め設定された第１の数値範囲と比較し、前記第２の動作情報値を該第２の動作情報値の許容範囲として予め設定された第２の数値範囲と比較する分析判定部と、
前記分析判定部により前記第１又は第２の動作情報値の少なくとも一方が対応する前記第１又は第２の数値範囲外の値を有していると判定されたときに、前記第１又は前記第２の数値範囲外の値を有している前記第１又は第２の動作情報値に対する報知動作を、前記利用者の前記運動動作中に実行する出力部と、
を備えることを特徴とする。
【００１０】
本発明に係る運動支援方法は、
歩行又は走行の運動動作中の利用者の運動動作状態に関連する動作データを、該利用者の前記運動動作中に検出し、
前記動作データを検出する毎に、前記検出した前記動作データに基づいて、前記利用者の移動速度に関連する第１の動作情報値と、前記利用者の単位時間当たりの歩数に関連する第２の動作情報値とを取得し、
前記第１の動作情報値を該第１の動作情報値の許容範囲として予め設定された第１の数値範囲と比較し、
前記第２の動作情報値を該第２の動作情報値の許容範囲として予め設定された第２の数値範囲と比較し、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行することを特徴とする。
【００１１】
本発明に係る運動支援プログラムは、
コンピュータに、
歩行又は走行の運動動作中の利用者の運動動作状態に関連する動作データを、該利用者の前記運動動作中に検出させ、
前記動作データを検出する毎に、前記検出した前記動作データに基づいて、前記利用者の移動速度に関連する第１の動作情報値と、前記利用者の単位時間当たりの歩数に関連する第２の動作情報値とを取得させ、
前記第１の動作情報値を該第１の動作情報値の許容範囲として予め設定された第１の数値範囲と比較させ、
前記第２の動作情報値を該第２の動作情報値の許容範囲として予め設定された第２の数値範囲と比較させ、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行させることを特徴とする。
【発明の効果】
【００１２】
本発明によれば、競技中やトレーニング中の利用者の運動動作状態を具体的に把握して、運動動作中に問題の発生を認識して運動動作状態を改善することにより記録の向上を図ることができる。
【図面の簡単な説明】
【００１３】
【図１】本発明に係る運動支援装置の第１の実施形態を示す概略構成図である。
【図２】第１の実施形態に係る運動支援装置に適用されるインターフェース機器の一構成例を示すブロック図である。
【図３】一般的なランニングウォッチにおいて実行される分析処理の一例を示すグラフである。
【図４】発明に係る運動支援方法に適用される分析処理の一例を示すグラフである。
【図５】本発明に係る運動支援方法に適用される判定処理に用いられるデータベースの一例を示す表である。
【図６】本発明に係る運動支援方法に適用される報知動作に用いられる分析結果の一例を示す図である。
【図７】本発明に係る運動支援方法に適用される報知動作の一例を示す図である。
【図８】第１の実施形態に係るインターフェース機器における運動支援方法の一例を示すフローチャートである。
【図９】第１の実施形態に係る運動支援方法におけるデータ取得動作の一例を示すフローチャートである。
【図１０】第１の実施形態に係る運動支援方法におけるペース判別動作の一例を示すフローチャートである。
【図１１】第１の実施形態に係る運動支援方法におけるピッチ判別動作の一例を示すフローチャートである。
【図１２】第１の実施形態に係る運動支援方法における運動動作状態判定・報知動作の一例を示すフローチャートである。
【図１３】本発明に係る運動支援装置の第２の実施形態を示す概略構成図である。
【図１４】第２の実施形態に係る運動支援装置に適用されるインターフェース機器とモーションセンサの一構成例を示すブロック図である。
【発明を実施するための形態】
【００１４】
以下、本発明に係る運動支援装置、運動支援方法及び運動支援プログラムについて、実施形態を示して詳しく説明する。なお、以下の説明では、運動の一例として、ユーザがマラソン大会に参加する場合や、ランニング等のトレーニングを行う場合について説明する。
【００１５】
＜第１の実施形態＞
（運動支援装置）
図１は、本発明に係る運動支援装置の第１の実施形態を示す概略構成図である。図２は、本実施形態に係る運動支援装置に適用されるインターフェース機器の一構成例を示すブロック図である。
【００１６】
本実施形態に係る運動支援装置は、例えば図１（ａ）に示すように、概略、ユーザＵＳが手首等に装着するインターフェース機器１００を有している。インターフェース機器は、図１（ｂ）に示すように、リストウォッチ型（又は腕時計型）の外観を有し、大別して、ユーザに所定の情報を提供するための表示部１３１を備えた機器本体１０１と、ユーザＵＳの手首に巻き付けることにより機器本体１０１を手首に装着するためのベルト部１０２と、を備えている。インターフェース機器１００は、具体的には、例えば図２に示すように、大別して、センサ部（検出部）１１０と、入力インターフェース部（操作部）１２０と、出力インターフェース部（出力部）１３０と、中央演算回路（以下、「ＣＰＵ」と略記する；分析判定部）１４１と、メモリ（記憶部）１４２と、動作電源１４３と、を備えている。
【００１７】
センサ部１１０は、図２に示すように、加速度センサ１１１と、ジャイロセンサ（角速度センサ）１１２と、ＧＰＳ受信回路（位置センサ）１１３と、を有している。加速度センサ１１１は、ユーザＵＳの走行中の動作速度の変化の割合（加速度）を検出する。また、ジャイロセンサ（角速度センサ）１１２は、ユーザＵＳの運動中の動作方向の変化（角速度）を検出する。そして、ＣＰＵ１４１が所定の制御プログラムを実行することにより、この加速度センサ１１１により検出された加速度データ、及び、ジャイロセンサ１１２により検出された角速度データの変化傾向や波形のピーク周波数に基づいて、走行時のピッチ（単位時間（例えば１分間）当たりの歩数；第２の動作情報値）とペース（速度；第１の動作情報値）が測定又は算出されて取得される。また、更に、算出されたペースと経過時間に基づいて走行距離が取得される。これらのピッチやペース、走行距離は、例えば一定の時間間隔毎の走行時間に相互に関連付けられて、メモリ１４２の所定の記憶領域に保存される。
【００１８】
また、ＧＰＳ受信回路１１３は、複数のＧＰＳ衛星からの電波を受信することにより、緯度経度からなる（地理的な）位置データを検出する。このＧＰＳ受信回路１１３により検出された位置データに基づいて、ＣＰＵ１４１により、移動距離が取得される。また、ＧＰＳ受信回路１１３は、ＧＰＳ衛星からの電波のドップラーシフト効果を利用して、ユーザＵＳの移動速度を取得する。ここで、ＧＰＳ受信回路１１３により検出される位置データに基づいて取得される移動距離及び移動速度は、上述した加速度センサ１１１及びジャイロセンサ１１２により検出されたセンサデータに基づいて取得される走行距離やペースと併用することにより、又は、相互補完することにより、ユーザＵＳの走行距離やペースの精度を高めるために利用される。なお、センサ部１１０には少なくとも加速度センサ１１１とジャイロセンサ１１２とを備えていればよく、ＧＰＳ受信回路１１３を備えていない構成であってもよい。
【００１９】
入力インターフェース部１２０は、図２に示すように、操作スイッチ１２１と、タッチパネル１２２と、を有している。操作スイッチ１２１は、例えば図１（ｂ）に示すように、ボタンスイッチを有し、上述したセンサ部１１０における各種のデータの検出や測定の開始や終了、一時停止等の動作（センシング動作）、表示部１３１に表示する項目の設定、後述する運動支援方法において用いられる数値範囲の入力設定等の操作に用いられる。
【００２０】
また、タッチパネル１２２は、表示部１３１の前面に配置、又は、表示部１３１の前面に一体的に形成され、表示部１３１に表示された情報に応じた領域をタッチ操作することにより、当該情報に対応する機能が選択的に実行される。タッチパネル１２２により実現される機能は、上記の操作スイッチ１２１により実現される機能と同等であってもよいし、タッチパネル１２２による操作特有の機能を有していてもよい。なお、入力インターフェース部１２０には、操作スイッチ１２１とタッチパネル１２２の双方を備えているものであってもよいし、実現される機能が同一である場合には、いずれか一方のみを備えているものであってもよい。
【００２１】
出力インターフェース部１３０は、図２に示すように、表示部１３１と、音響部１３２と、振動部１３３と、を有している。表示部１３１は、液晶表示パネルや有機ＥＬ表示パネル等の表示装置を有し、少なくともユーザの運動中に、上述したセンサ部１１０により検出されたセンサデータに基づいて取得された各種の情報に基づく画像を表示する。表示部１３１には、例えば図１（ｂ）に示すように、走行距離「Dist」やペース（スプリットタイム「Split」）、ピッチ「Pitch」、走行時間（図示を省略）等の数値を含む文字情報が表示される。これらの情報は、表示部１３１に複数の情報が同時に表示されるものであってもよいし、上述した操作スイッチ１２１やタッチパネル１２２を操作することにより、１乃至複数の情報が順次表示されるものであってもよい。また、表示部１３１は、後述する運動支援方法に基づいて分析、判定されたユーザＵＳの運動動作状態に応じて、所定の表示方法で運動支援情報（注意や警告等）を表示することにより、当該運動支援情報を、視覚を通してユーザＵＳに報知する報知動作を行う。ここで、表示部１３１における運動支援情報の表示方法としては、例えば数値を、その数値に対応する文字の大きさを他より大きくし設定したり、その文字を構成する線の太さを他より大きく設定したり、その文字の色を他と異なる比較的目立つ色に設定したり、して強調表示する方法や、数値に代えて又は数値と共に対応する特定のメッセージを示す文字情報を強調表示で表示する方法や、表示部１３１の全域や一部領域における背景部分の表示色を変化させる方法や、数値や特定のメッセージを示す文字情報又は背景部分を点滅表示させたりする表示方法を、単独で又は組み合わせて適用することができる。具体例については後述する。
【００２２】
また、音響部１３２は、ブザーやスピーカ等の音響機器を有し、後述する運動支援方法に基づいて分析、判定されたユーザＵＳの運動動作状態に応じた運動支援情報（注意や警告等）を、所定の音色や音パターン、音声メッセージ等の音情報により、聴覚を通してユーザＵＳに報知する報知動作を行う。振動部１３３は、振動モータや振動子等の振動機器を有し、ユーザＵＳの運動動作状態に応じた運動支援情報（注意や警告等）を、所定の振動パターンやその強弱等の振動情報により、触覚を通してユーザＵＳに報知する報知動作を行う。なお、出力インターフェース部１３０は、少なくとも表示部１３１を備えていればよく、当該表示部１３１に加え、音響部１３２及び振動部１３３のいずれか一方のみを備えているものであってもよいし、音響部１３２と振動部１３３の両方を備えているものであってもよい。ここで、表示部１３１に加え、音響部１３２や振動部１３３等の複数の報知手段を備えている場合には、例えば、ユーザＵＳに対して運動支援情報（注意や警告等）を、まず音情報や振動情報により報知することにより、表示部１３１に表示された数値情報や文字情報を確認させるように喚起することができ、運動支援情報をより確実にユーザＵＳに報知することができる。
【００２３】
メモリ１４２は、不揮発性メモリを有し、上述したセンサ部１１０により検出された加速度データや角速度データ、位置データ、及び、これらのセンサデータに基づいて測定又は算出された走行時のピッチやペース、走行距離の数値情報を、走行時間に相互に関連付けて保存する。ここで、走行時間は例えば一定の時間間隔毎の複数の時間に設定される。ここで、時間間隔は、例えば、１秒〜１０秒程度の時間に予め設定される。この時間間隔は、ユーザＵＳが入力インターフェース部１２０を操作して設定し、ユーザＵＳにより変更可能とされているものであってもよいし、インターフェース機器１００内において、例えばＧＰＳ受信回路１１３が位置データを検出する時間間隔等に基づいて、予め設定された固定値とされているものであってもよい。また、メモリ１４２の不揮発性メモリ部分には、本実施形態に係るインターフェース機器１００において実行される運動支援方法（詳しくは後述する）により生成される、又は、参照される各種のデータや情報が保存される。ここで、メモリ１４２は、センサ部１１０や入力インターフェース部１２０、出力インターフェース部１３０、メモリ１４２における所定の機能を実現するための制御プログラム（ソフトウェア）が記憶された読み出し専用メモリ（ＲＯＭ）を含むものであってもよい。ＣＰＵ１４１は、計時機能を備え、これらの制御プログラムに従って処理を行うことにより、センサ部１１０や入力インターフェース部１２０、出力インターフェース部１３０、メモリ１４２における動作を制御して所定の機能を実現する。なお、これらの制御プログラムは予めＣＰＵ１４１に組み込まれているものであってもよい。また、メモリ１４２を構成する不揮発性メモリ部分は、メモリカード等のリムーバブル記憶媒体を有し、インターフェース機器１００に対して着脱可能に構成されているものであってもよい。
【００２４】
動作電源１４３は、インターフェース機器１００内部の各構成に駆動電力を供給する。動作電源１４３は、市販のコイン型電池やボタン型電池等の一次電池、リチウムイオン電池やニッケル水素電池等の二次電池のほか、振動や光、熱、電磁波等のエネルギーにより発電する環境発電（エナジーハーベスト）技術による電源等を適用することができる。
【００２５】
（運動支援方法；センサデータの分析方法とその報知方法）
次に、本実施形態に係る運動支援装置における運動支援方法について説明する。
まず、本発明に係る運動支援方法に適用されるセンサデータの分析方法と、その報知方法について説明する。ここでは、本発明の特徴を明確にするために、一般に市販されている（周知の）ランニングウォッチとの差異を検証しつつ説明する。
【００２６】
図３は、一般的なランニングウォッチにおいて実行される分析処理の一例を示すグラフである。ここでは、４２．１９５ｋｍのフルマラソンにおけるスプリットタイム（１ｋｍを走るのに必要な時間であって、走行速度を示す一般的なランニング指標）の、走行距離５ｋｍ毎の変化の一例を示す。
【００２７】
一般的なランニングウォッチ（比較例）においては、例えば図３のグラフに示すように、走行距離（横軸）に対するペース又はスプリットタイム（縦軸）が随時算出されて、その変化を知ることができる。すなわち、ランニングウォッチには、ランニング中のペースやスプリットタイムが数値情報として表示部に逐次表示され、ユーザはその数値情報を視認することにより、自己の運動動作状態を把握していた。
【００２８】
図３に示されたグラフについて具体的に説明すると、マラソンスタート後、走行距離が１５ｋｍを過ぎた付近からスプリットタイムが徐々に長くなる傾向が出始めている（すなわち、ペースが遅くなり始めている）。一方、走行距離が２５ｋｍ程度まではスプリットタイムが概ね３′４０〜３′５０ｍｉｎ／ｋｍの範囲に収まっているため、ユーザは、ここまでは一定の範囲内のペースを維持していると認識することになり、走行距離が２５ｋｍ程度までの走り方に、後述するようなその後のペースの低下をもたらす要因があることは把握できなかった。そして、ユーザは、走行距離が２５ｋｍを超えた時点で、ランニングウォッチに表示される現在時点のスプリットタイムがさらに長くなり、ペースが上記の範囲を逸脱して顕著に低下していることを認識する。これに対して、ユーザは、この状態を改善しようと努める。しかしながら、後述するように、実際には、ペースの低下をもたらしている要因が、走行距離が２５ｋｍより以前の走り方にあったのであるが、従来のランニングウォッチを用いていた場合にはこれを把握することが困難であり、走行距離が２５ｋｍまでの間で適切でない走り方をしてしまっていたため、この後にペースを改善することが困難であった。その結果、図３に示すように、競技後半に失速を招いてしまい、走行状態の改善や記録の向上を図ることが難しかった。
【００２９】
すなわち、図３に示したように、ペース又はスプリットタイムが変化する場合においては、実際には走行距離が２５ｋｍより以前の時点での走り方に、その後のペースの低下をもたらす要因があり、この要因を改善することにより、競技後半のペースの低下を抑えることができる可能性がある。しかしながら、一般的なランニングウォッチに表示される数値情報では、この要因を的確に把握することができなかった。
【００３０】
そこで、本発明に係る運動支援方法においては、競技やトレーニング等の運動中の、現在時点から先の時間（将来；例えば競技やトレーニングの後半）におけるペースの低下をもたらす要因を的確に把握することができる分析結果を、ユーザが運動中に容易に視認可能なインターフェース機器の表示部を介して提供し、以て、ペースの低下をもたらす要因が発生した時点でユーザがそれを認識することができるようにすることを特徴とする。
【００３１】
図４は、本発明に係る運動支援方法に適用される分析処理の一例を示すグラフである。また、図５は、本発明に係る運動支援方法に適用される判定処理に用いられるデータベースの一例を示す表である。
【００３２】
本発明に係る運動支援方法においては、ＣＰＵ１４１が次のような分析処理を実行する。まず、ユーザＵＳの運動中（走行中）に、センサ部１１０により検出されたセンサデータに基づいて算出されたペース（速度）を、ピッチ（歩数）とストライド（歩幅）の成分に分解する。ここで、「ペース＝ピッチ×ストライド」の関係にあるので、センサ部１１０により検出されたセンサデータに基づいてペースとピッチが判明すれば、ストライドを算出することができる。このピッチとストライドの関係について、図４に示すように、横軸にピッチ、縦軸にストライドを設定してグラフ化する。このグラフにおいて、ペースが一定のときには図中破線で示すように、図面右下がりの直線Ｌａ、Ｌｂとして表わされる。ここで、直線Ｌａは、区間距離５ｋｍを１９分のペースで走行した場合のピッチとストライドの関係を示すペース基準線であり、また、直線Ｌｂは、区間距離５ｋｍを２０分のペースで走行した場合のピッチとストライドの関係を示すペース基準線である。また、太矢印は、４２．１９５ｋｍのフルマラソンにおける区間距離５ｋｍごとのピッチとストライドの変化を、走行距離に対応させて順次示したものである。
【００３３】
そして、ユーザの運動中に測定又は算出されたペース、ピッチ、ストライドの各々について、図５（ａ）、（ｂ）に示すように、許容範囲とする数値範囲が予め設定されたデータベースを参照して、対応する走行距離範囲における数値範囲を逸脱しているか否かを判定する。ここで、判定処理に適用される数値範囲は、図５（ａ）、（ｂ）に示すように、所定の距離（例えば区間距離５ｋｍ）ごとの複数の走行距離範囲の各々に対して設定されている。そして、走行距離範囲毎に対して設定された数値範囲は、それぞれ、上限値、下限値及び上限値と下限値の中間の標準値を有している。ここで、下限値と上限値を含み、下限値から上限値までの範囲が許容範囲となる。
【００３４】
なお、図５（ａ）、（ｂ）には、ペースとピッチについて数値範囲が設定されたデータベースを示すが、上述したように、ペースとピッチに基づいてストライドを算出することができるので、ペースとピッチについて数値範囲を設定することにより、ストライドについても数値範囲が設定される。また、これらの数値範囲における上限値と下限値及び標準値は、例えば、ユーザが入力インターフェース部１２０の操作スイッチ１２１やタッチパネル１２２を用いて、運動の開始に先立って（事前に）任意の値を入力することによって設定されるものであってもよいし、予め年齢や性別、過去の競技記録等に基づいて、標準的な数値が設定されているものであってもよい。ペース、ピッチ、ストライドについて、設定された数値範囲は、各々、ペースデータベース、ピッチデータベース、ストライドデータベースとして、メモリ１４２の所定の記憶領域に保存される。
【００３５】
上述した分析処理及び判定処理における結果は、図４に示したグラフを用いることにより、可視的に理解することができる。すなわち、図４に示したグラフにおいては、４２．１９５ｋｍのフルマラソンにおいて、ユーザＵＳのピッチとストライドの関係が、スタートから走行距離が２０〜２５ｋｍ付近で直線Ｌａよりも図面左下方向に変化し、ペースが急激に落ちてきたということが判別できる。加えて、図４においては、上記の２０〜２５ｋｍ付近でのペース変化だけでなく、それ以前に、走行距離が１０ｋｍ付近からピッチが低下して一定の状態を保持できなくなり、ストライドを伸ばすことでペースを維持してきたことが判別できる。そして、このような走り方が、競技後半の失速を招いたものと推測される。つまり、競技後半の失速の要因は、走行距離が１０ｋｍ付近からすでに発生していたものと分析することができる。
【００３６】
そして、上述した一連の処理により得られる分析結果を、次に示すような報知方法によりユーザＵＳに報知することにより、ユーザＵＳは、競技後半の失速の要因（問題箇所）がどこにあるかを的確に把握（特定）することができ、走り方を改善して記録の向上を図ることができる。
【００３７】
図６は、本発明に係る運動支援方法に適用される報知動作に用いられる分析結果の一例を示す図である。図７は、本発明に係る運動支援方法に適用される報知動作の一例を示す図である。ここでは、本発明に係る報知方法の特徴である表示動作の例を示す。なお、図６（ａ）、図７（ｃ）、（ｄ）においては、図示の都合上、注意表示領域、警告表示領域、及び、注意表示状態、警告表示状態を、便宜的にハッチングを用いて示した。
【００３８】
まず、インターフェース機器１００の表示部１３１には、運動支援情報の表示項目として、例えば図７（ａ）、（ｂ）に示すように、図面上段にスプリットタイム「Split」、図面中段に走行距離「Dist」、図面下段にピッチ「Pitch」の各数値を含む文字情報が表示される。ここでは、上述したセンサ部１１０により検出されたセンサデータに基づいて取得される、現在時点の数値が表示される。なお、表示部１３１における表示項目は、これらに限定されるものではなく、他の数値や特定の文字情報等、任意の情報が表示されるものであってもよく、また、１乃至複数の情報が任意の表示形態で表示されるものであってもよい。
【００３９】
そして、ＣＰＵ１４１は上述した分析方法を実行し、ユーザＵＳの運動中（走行中）に、センサ部１１０により検出されたセンサデータに基づいて取得したペース、ピッチ、ストライドのおのおのについて、予め設定された数値範囲内にあるか、あるいは、当該数値範囲を逸脱しているかを判定する。そして、ペース、ピッチ、ストライドのいずれかが設定された数値範囲を超えていると判定されたときには、当該項目に問題があると判断して、その項目の数値を含む文字情報を表示部１３１に表示するとともに、ユーザＵＳに走り方の改善を促すように注意表示や警告表示を行う。ここで、表示部１３１における注意表示や警告表示の具体例としては、例えば図７（ｃ）、（ｄ）に示すように、設定された数値範囲を逸脱した項目の数値に対応する文字の大きさを、通常時（後述する標準表示状態のとき）より大きくしたり、当該文字を構成する線の太さを通常時より大きくしたり、当該文字の色を通常時とは異なる比較的目立つ色に設定したり、して強調表示したり、表示部１３１の全域又は一部領域における背景部分の表示色を例えば黄色等の注意色や赤色等の警告色の特定色に設定したり、或いは、数値に代えて又は数値と共に対応する特定のメッセージを強調表示したり、数値や特定のメッセージを示す文字情報又は背景部分を点滅表示させたりする表示方法を、単独で又は組み合わせて適用することができる。
【００４０】
ユーザＵＳの走り方が、例えば上述した図３、図４のグラフに示したような状態であった場合について、報知動作の具体例を説明する。図３、図４に示したような走り方の場合、上述したように、スタートから走行距離が１０ｋｍ程度までは、ペース（スプリットタイム）、ピッチ、ストライドのいずれもが、予め設定された数値範囲内に維持されている。このとき、ＣＰＵ１４１は、ユーザＵＳの走り方は順調又は正常な状態にあると判定する。ここで、この判定結果（すなわち、上述した分析方法における分析結果）を、図６（ａ）、（ｂ）中では便宜的に標準表示領域「Ｚｓ」と表記する。この判定結果に基づいて、ＣＰＵ１４１は、図７（ｂ）に示すように、インターフェース機器１００の表示部１３１に、各項目を標準表示状態で表示させる。この標準表示状態においては、図７（ｂ）に示したように、各項目の数値情報の強調表示や、表示部１３１の背景部分を特定色で発光させる動作は行われない。
【００４１】
そして、走行距離が１０km以降になると、ペースはほぼ維持されているが、ピッチの低下を補うためにストライドが伸びる傾向にあって、ストライドが予め設定された数値範囲を逸脱している。このとき、ＣＰＵ１４１は、ピッチに問題があると判断する。ここで、この判定結果（分析結果）を、図６（ａ）、（ｂ）中では便宜的に注意表示領域「Ｚａ」と表記する。この判定結果に基づいて、ＣＰＵ１４１は、例えば、図７（ｃ）に示すように、表示部１３１のピッチ「Pitch」の数値を示す文字を強調表示するとともに、表示部１３１の背景部分の表示色を黄色等の注意色に設定した注意表示状態で表示させる。これにより、ユーザＵＳに対して、ピッチに問題があることを報知して、走り方の改善を促す。
【００４２】
そして、ユーザＵＳがこの注意表示を見て、自己の走行状態を把握し、ピッチを修正するように意識した走り方をすることにより、過度の体力の消耗を抑制して、競技後半の失速を回避することができる可能性が高くなる。
【００４３】
なお、ここでは、ペースはほぼ維持されているが、ピッチが低下した場合に、図７（ｃ）に示すような注意表示を行う例を示したが、本発明はこれに限定されるものではない。すなわち、ピッチは維持されているがペースが予め設定された数値範囲を逸脱した場合や、ペース、ピッチ、ストライドのいずれかが予め設定された数値範囲を超過した場合等に、注意表示を行うものであってもよい。
【００４４】
一方、上述した注意表示を行ったにも関わらず、ユーザＵＳがピッチを修正できなかった場合には、例えば走行距離が２０km以降に示すように、ペース（スプリットタイム）、ピッチの双方とも低下が顕著になるとともに、ストライドも狭くなる傾向にあって、いずれも予め設定された数値範囲を逸脱することになる。このとき、ＣＰＵ１４１は、ペース及びピッチの双方に問題があると判断する。ここで、この判定結果（分析結果）を、図６（ａ）、（ｂ）中では便宜的に警告表示領域「Ｚｂ」と表記する。この判定結果に基づいて、ＣＰＵ１４１は、例えば、図７（ｄ）に示すように、表示部１３１のスプリットタイム「Split」及びピッチ「Pitch」の数値を示す文字を強調表示するとともに、表示部１３１の背景部分の表示色を赤色等の警告色に設定した警告表示状態で表示させる。これにより、ユーザＵＳに対して、ペース及びピッチの双方に問題があることを報知して、走り方の改善を促す。
【００４５】
なお、上述した報知動作においては、センサデータに基づいて取得したペース、ピッチ、ストライドのいずれかが設定された数値範囲を逸脱している場合には、注意表示又は警告表示を行う報知方法について説明した。本発明は、これに限定されるものではなく、例えば、ペース、ピッチ、ストライドのいずれかが設定された数値範囲を上回っている（上限値を超えて逸脱している）場合と、設定された数値範囲を下回っている（下限値に満たないで逸脱している）場合とで、対応する項目の数値を示す文字の色を互いに異なる色に設定して注意表示又は警告表示を行うものであってもよい。
【００４６】
また、上述した報知動作において、運動中（走行中）のユーザＵＳが、インターフェース機器１００の表示部１３１を極短時間見ただけであっても、直感的に現在時点の運動動作状態（走行状態）を把握できるとともに、その問題箇所を認識できるように、ペース、ピッチ、ストライド等の表示項目ごとに表示色を変えて表示するようにしてもよい。
【００４７】
加えて、上述した表示部１３１を介して視覚により運動支援情報を表示する報知動作に加えて、出力インターフェース部１３０の音響部１３２や振動部１３３から音や振動を発生させて、ユーザＵＳに運動動作状態の変化や問題箇所の発生を気づかせるようにしてもよい。
【００４８】
さらに、ユーザＵＳの熟練度に応じた報知動作を実行するものであってもよい。すなわち、ユーザＵＳがマラソンやランニングの上級者である場合には、上述したように、インターフェース機器１００の表示部１３１に具体的な数値を表示して、注意表示や警告表示等の報知動作を行うことにより、ユーザＵＳは比較的容易に自己の運動動作状態を把握し、問題箇所を認識して、走り方の改善や記録の向上に有効に活用することができる。
【００４９】
一方、ユーザがマラソンやランニングの初心者である場合には、インターフェース機器１００の表示部１３１に具体的な数値を表示して、注意表示や警告表示等の報知動作を行った場合には、自己の運動動作状態や問題箇所を十分に把握、認識できなかったり、時間を要したりして、走り方の改善や記録の向上に十分活用することができない可能性がある。そのため、上述したような表示部１３１における具体的な数値情報に替えて、又は、数値情報と併用して、例えば「ピッチを上げろ」、「ストライドを伸ばせ」等の、問題がある項目に対してそれをどのように改善すべきかをユーザに指示するメッセージ（文言）を含む文字情報を表示するものであってもよい。また、この場合においても、上述したように、音や振動を発生させる報知方法を併用して、運動支援情報を確実にユーザに報知するようにしてもよい。このような報知動作の切り替えは、例えば入力インターフェース部１２０の操作スイッチ１２１やタッチパネル１２２を用いて入力設定される。
【００５０】
（運動支援方法；全体動作）
次に、上述した分析方法及び報知方法を適用した運動支援方法の全体動作について説明する。ここでは、上述した分析方法及び報知方法の説明で用いた図３〜図７を適宜参照しながら説明する。
【００５１】
図８は、本実施形態に係るインターフェース機器における運動支援方法の一例を示すフローチャートである。
本実施形態に係るインターフェース機器１００における運動支援方法は、図８に示すように、まず、インターフェース機器１００を起動して、センサ部１１０の加速度センサ１１１、ジャイロセンサ１１２、ＧＰＳ受信回路１１３のセンシング動作を開始させる（ステップＳ１０１）。具体的には、図１、図２に示したように、ユーザＵＳは、装着したインターフェース機器１００の入力インターフェース部１２０操作スイッチ１２１やタッチパネル１２２を操作することにより、インターフェース機器１００を起動し、ＣＰＵ１４１がセンサ部１１０を制御して、加速度センサ１１１やジャイロセンサ１１２、ＧＰＳ受信回路１１３によりユーザＵＳの加速度データ、角速度データ、ＧＰＳデータ（位置データ、移動速度）を検出する動作を開始、又は、これらの検出を開始することが可能な待機状態にする。
【００５２】
次いで、ユーザＵＳが走行を開始するのを待ち（ステップＳ１０２：Ｎｏ）、ユーザＵＳが走行を開始したことが検出されたら（ステップＳ１０２：Ｙｅｓ）、ユーザＵＳの運動動作状態に関連するデータを取得するデータ取得動作を行う（ステップＳ１１０）。ここで、ユーザＵＳが走行を開始したことの検出は、センサ部１１０によるユーザＵＳの位置の移動の検出に基づいて行うものであってもよいし、ユーザＵＳが例えば操作スイッチ１２１に設けられたスタートボタンスイッチやタッチパネル１２２に設けられたスタートボタンを押したことを検出して行うものであってもよい。
【００５３】
次いで、ペース判別動作（ステップＳ１２０）と、ピッチ判別動作（ステップＳ１３０）と、運動動作状態判定・報知動作（ステップＳ１４０）とを行う。そして、このデータ取得動作と、ペース判別動作と、ピッチ判別動作と、運動動作状態判定・報知動作とを、走行終了まで、繰り返す（ステップＳ１１０〜Ｓ１４０、Ｓ１６１：Ｎｏ）。この繰り返しは、予め設定された一定の時間間隔毎の複数の時間に設定される走行時間毎に行われる。そして、走行終了が検出されたら（ステップＳ１６１：Ｙｅｓ）、動作を終了する。走行終了の検出は、例えばユーザＵＳが操作スイッチ１２１に設けられたストップボタンスイッチやタッチパネルに設けられたストップボタンを押したことを検出して行う。
【００５４】
次に、運動支援方法の各動作について説明する。
図９は、本実施形態に係る運動支援方法におけるデータ取得動作の一例を示すフローチャートであり、図１０は、本実施形態に係る運動支援方法におけるペース判別動作の一例を示すフローチャートであり、図１１は、本実施形態に係る運動支援方法におけるピッチ判別動作の一例を示すフローチャートであり、図１２は、本実施形態に係る運動支援方法における運動動作状態判定・報知動作の一例を示すフローチャートである。
【００５５】
（データ取得動作Ｓ１１０）
データ取得動作Ｓ１１０においては、図９のフローチャートに示すように、まず、上記の各センサにより検出された加速度データ、角速度データ、ＧＰＳデータが、走行時間に関連付けてメモリ１４２の所定の記憶領域に保存される。ここで、走行時間は走行開始からの経過時間である。
【００５６】
次いで、ＣＰＵ１４１は、上記の各センサにより検出された加速度データ、角速度データ、ＧＰＳデータに基づいて、現時点の走行距離と、ペースと、ピッチとを測定又は算出して取得する（ステップＳ１１１〜Ｓ１１３）。具体的には、加速度データ及び角速度データの変化傾向や波形のピーク周波数に基づいて、ピッチ及びペースが測定又は算出されて取得される。また、取得されたペースと走行時間（経過時間）に基づいて走行距離がさらに取得される。なお、ＧＰＳデータは、上記の走行距離やペースの精度を高めるために利用される。これらの走行距離やペース、ピッチは、走行時間に関連付けてメモリ１４２の所定の記憶領域に保存される。
【００５７】
（ペース判別動作Ｓ１２０）
ペース判別動作Ｓ１２０においては、図１０のフローチャートに示すように、図５（ａ）に示したような、数値範囲が予め設定されたペースデータベースを参照して（ステップＳ１２１）、上述したデータ取得動作Ｓ１１０において算出されたペースと、データベースに設定された数値範囲とを比較することにより、ペースについての問題箇所が発生していないか否かを判別する。
【００５８】
具体的には、ＣＰＵ１４１は、まず、メモリ１４２に格納されたペースデータベースを参照して、現在の走行距離が含まれる走行距離範囲に対して設定された数値範囲の上限値と下限値を抽出する。次いで、ＣＰＵ１４１は、上記算出されたペースが当該数値範囲の上限値よりも大きいか否かを判別する（ステップＳ１２２）。ペースが設定された数値範囲の上限値よりも大きい場合には、ペースフラグに「１」を設定して（ステップＳ１２４）、当該ペースフラグをメモリ１４２の所定の記憶領域に保存する。一方、上記ペースが設定された数値範囲の上限値以下の場合には、当該ペースが設定された数値範囲の下限値よりも小さいか否かをさらに判別する（ステップＳ１２３）。ペースが設定された数値範囲の下限値よりも小さい場合には、ペースフラグに「−１」を設定して（ステップＳ１２５）、当該ペースフラグをメモリ１４２の所定の記憶領域に保存する。すなわち、現在時点のペースが予め設定された数値範囲から逸脱している場合には、その逸脱の状況（上限値を超過、又は、下限値に満たない）に応じて、ペースフラグを立てる。
【００５９】
一方、上記ペースが設定された数値範囲の下限値以上の場合には、当該ペースが設定された数値範囲内にあると判定して、ペースフラグに「０」を設定して（ステップＳ１２６）、当該ペースフラグをメモリ１４２の所定の記憶領域に保存する。ここで、ペースフラグは、走行時間に関連付けてメモリ１４２に保存される。
【００６０】
（ピッチ判別動作Ｓ１３０）
ピッチ判別動作Ｓ１３０においては、図１１のフローチャートに示すように、図５（ｂ）に示したような、数値範囲が予め設定されたピッチデータベースを参照して（ステップＳ１３１）、上述したデータ取得動作Ｓ１１０において測定されたピッチと、データベースに設定された数値範囲とを比較することにより、ピッチについての問題箇所が発生していないか否かを判別する。
【００６１】
具体的には、ＣＰＵ１４１は、まず、メモリ１４２に格納されたピッチデータベースを参照して、現在の走行距離が含まれる走行距離範囲に対して設定された数値範囲の上限値と下限値を抽出する。次いで、ＣＰＵ１４１は、上記測定されたピッチが当該数値範囲の上限値よりも大きいか否かを判別する（ステップＳ１３２）。ピッチが設定された数値範囲の上限値よりも大きい場合には、ピッチフラグに「１」を設定して（ステップＳ１３４）、当該ピッチフラグをメモリ１４２の所定の記憶領域に保存する。一方、上記ピッチが設定された数値範囲の上限値以下の場合には、当該ピッチが設定された数値範囲の下限値よりも小さいか否かをさらに判別する（ステップＳ１３３）。ピッチが設定された数値範囲の下限値よりも小さい場合には、ピッチフラグに「−１」を設定して（ステップＳ１３５）、当該ピッチフラグをメモリ１４２の所定の記憶領域に保存する。すなわち、現在時点のピッチが予め設定された数値範囲から逸脱している場合には、その逸脱の状況（上限値を超過、又は、下限値に満たない）に応じて、ピッチフラグを立てる。
【００６２】
一方、上記ピッチが設定された数値範囲の下限値以上の場合には、当該ピッチが設定された数値範囲内にあると判定して、ピッチフラグに「０」を設定して（ステップＳ１３６）、当該ピッチフラグをメモリ１４２の所定の記憶領域に保存する。ここで、ピッチフラグは、走行時間に関連付けてメモリ１４２に保存される。
【００６３】
（運動動作状態判定動作・報知動作Ｓ１４０）
運動動作状態判定動作・報知動作Ｓ１４０においては、図１２のフローチャートに示すように、上述したペース判別動作Ｓ１２０及びピッチ判別動作Ｓ１３０において設定されたペースフラグ及びピッチフラグに基づいて、ユーザＵＳの運動動作状態及びその問題箇所を判定し、判定した運動動作状態及びその問題箇所に応じて、インターフェース機器１００を介して、ユーザＵＳに運動支援情報を報知する。
【００６４】
具体的には、ＣＰＵ１４１は、まず、メモリ１４２に保存されたペースフラグ及びピッチフラグを走行時間に基づいて読み出す。次いで、ＣＰＵ１４１は、読み出したピッチフラグが「−１」であり、かつ、ペースフラグが「−１」であるという条件を満たすか否かを判別する（ステップＳ１４１）。ピッチフラグ及びペースフラグがこの判別処理（ステップＳ１４１）の条件を満たす場合には、ＣＰＵ１４１は、現在時点のユーザＵＳのピッチ及びペースの双方が設定された数値範囲を下回り（下限値に満たず）、低下していると判定して、出力インターフェース部１３０に所定の警告動作を実行させる（ステップＳ１４６）。ここで実行される警告動作は、上述した分析方法及び報知方法において警告表示状態として説明したように、例えば、図７（ｄ）に示すように、インターフェース機器１００の表示部１３１に表示されたスプリットやピッチの数値に対応する文字を強調表示したり、対応する特定のメッセージを強調表示したりする手法や、当該表示部１３１の背景部分を赤色に発光させたり、上記数値や特定のメッセージを示す文字情報又は表示部１３１の背景部分を早く点滅発光させたりする手法を、単独で又は組み合わせて適用することができる。さらに、これらの警告動作に加え、音響部１３２から警告音を発生させたり、警告メッセージを再生させたりする手法や、振動部１３３を継続的に振動させたりする手法を、単独で又は組み合わせて適用するものであってもよい。これらの警告動作は、ＣＰＵ１４１により実行される制御プログラムに基づいて、所定の時間継続して実行される。
【００６５】
一方、ペースフラグ及びピッチフラグがこの判別処理（ステップＳ１４１）の条件を満たさない場合には、ＣＰＵ１４１は、読み出したピッチフラグが「−１」であり、かつ、ペースフラグが「−１」でないという条件を満たすか否かをさらに判別する（ステップＳ１４２）。ピッチフラグ及びペースフラグがこの判別処理（ステップＳ１４２）の条件を満たす場合には、ＣＰＵ１４１は、現在時点のユーザＵＳのピッチが数値範囲を下回り（下限値に満たず）、低下していると判定して、出力インターフェース部１３０に所定の注意（ワーニング）動作を実行させる（ステップＳ１４７）。ここで実行される注意動作は、上述した分析方法及び報知方法において注意表示状態として説明したように、例えば図７（ｃ）に示すように、インターフェース機器１００の表示部１３１に表示されたピッチの数値に対応する文字を強調表示したり、対応する特定のメッセージを強調表示したりする手法や、当該表示部１３１の背景部分を黄色に発光させたり、上記数値や特定のメッセージを示す文字情報又は表示部１３１の背景部分を遅く点滅発光させたりする手法を、単独で又は組み合わせて適用することができる。さらに、これらの注意動作に加え、音響部１３２から注意音を発生させたり、注意メッセージを再生させたりする手法や、振動部１３３を断続的に振動させたりする手法を、単独で又は組み合わせて適用するものであってもよい。これらの注意動作は、ＣＰＵ１４１により実行される制御プログラムに基づいて、所定の時間継続して実行される。
【００６６】
一方、ペースフラグ及びピッチフラグがこの判別処理（ステップＳ１４２）の条件を満たさない場合には、ＣＰＵ１４１は、読み出したピッチフラグが「１」であり、かつ、ペースフラグが「１」であるという条件を満たすか否かをさらに判別する（ステップＳ１４３）。ピッチフラグ及びペースフラグがこの判別処理（ステップＳ１４３）の条件を満たす場合には、ＣＰＵ１４１は、現在時点のユーザＵＳのピッチ及びペースの双方が数値範囲を上回り（上限値を超過し）、オーバーピッチかつオーバーペースになっていると判定して、出力インターフェース部１３０に所定の注意動作を実行させる（ステップＳ１４８）。ここで実行される注意動作は、上述した注意動作（ステップＳ１４７）と同様に、インターフェース機器１００の表示部１３１に表示された対応する数値に対応する文字を強調表示したり、対応する特定のメッセージを強調表示したりする手法や、当該表示部１３１の文字情報や背景部分の発光状態を変化させる手法を、単独で又は組み合わせて適用することができる。さらに、表示部１３１による注意動作に加え、音響部１３２や振動部１３３による所定の注意動作を、単独で又は組み合わせて適用するものであってもよい。
【００６７】
一方、ペースフラグ及びピッチフラグがこの判別処理（ステップＳ１４３）の条件を満たさない場合には、ＣＰＵ１４１は、読み出したペースフラグが「１」であるという条件を満たすか否かをさらに判別する（ステップＳ１４４）。ペースフラグがこの判別処理（ステップＳ１４４）の条件を満たす場合には、ＣＰＵ１４１は、現在時点のユーザＵＳのペースが数値範囲を上回り、オーバーペースになっていると判定して、上述した注意動作（ステップＳ１４７）と同様に、出力インターフェース部１３０に所定の注意動作を実行させる（ステップＳ１４９）。
【００６８】
一方、ペースフラグがこの判別処理（ステップＳ１４４）の条件を満たさない場合には、ＣＰＵ１４１は、読み出したペースフラグが「−１」であるという条件を満たすか否かをさらに判別する（ステップＳ１４５）。ペースフラグがこの判別処理（ステップＳ１４５）の条件を満たす場合には、ＣＰＵ１４１は、現在時点のユーザＵＳのペースが数値範囲を下回り、低下していると判定して、上述した注意動作（ステップＳ１４７）と同様に、出力インターフェース部１３０に所定の注意動作を実行させる（ステップＳ１５０）。
【００６９】
一方、ペースフラグがこの判別処理（ステップＳ１４５）の条件を満たさない場合には、ＣＰＵ１４１は、現在時点のユーザＵＳのピッチ及びペースの双方が数値範囲内にあって、順調又は正常な状態を維持していると判定して、出力インターフェース部１３０に通常動作を実行させる（ステップＳ１５１）。ここで実行される通常動作は、上述した分析方法及び報知方法において標準表示状態として説明したように、例えば図１１（ｂ）に示すように、インターフェース機器１００の表示部１３１に、スプリットや走行距離、ピッチ等の数値を示す文字情報が標準（通常）の表示形態で表示される。すなわち、上述した警告表示や注意表示のように、表示部１３１の背景部分が特定の警告色や注意色で発光したり点滅したりする表示や、数値に対応する文字の強調表示等は行われない。また、音響部１３２や振動部１３３による警告動作や注意動作も行われない。
【００７０】
以上説明したように、本実施形態によれば、運動支援装置であるインターフェース機器１００に内蔵されたセンサ部１１０より、ユーザＵＳの運動動作状態（走行状態）を示す情報として、ペース、ピッチ、ストライドの情報を取得し、これらの情報が予め設定した数値範囲内を維持しているか否かを判定する分析処理を行うことによって、ユーザＵＳの現在時点の運動動作状態及びその問題箇所を判定することができる。そして、この分析結果に基づいて、インターフェース機器１００に設けられた表示部１３１に、当該運動動作状態及びその問題箇所に応じた報知動作を行うことにより、ユーザＵＳは、自己の運動動作状態や問題箇所を的確に把握することができる。したがって、例えばマラソンやランニング等において、現在時点から先の時間（例えば競技やトレーニングの後半）におけるペースの低下や失速等につながる要因やその予兆を、事前に特定して認識することができ、その問題箇所を改善するように意識して動作（自己修正）することにより、過度の体力の浪費を抑制して、競技やトレーニング全体を通して記録の向上を図ることができる。
【００７１】
＜第２の実施形態＞
次に、本発明に係る運動支援装置の第２の実施形態について説明する。
上述した第１の実施形態においては、単体のリストウォッチ型のインターフェース機器１００に、センサ部１１０や入力インターフェース部１２０、出力インターフェース部１３０が内蔵されて、一体的に構成されている場合について説明した。第２の実施形態においては、センサ部と、入力及び出力インターフェース部とが別体の機器に設けられた構成を有している。
【００７２】
図１３は、本発明に係る運動支援装置の第２の実施形態を示す概略構成図である。図１４は、本実施形態に係る運動支援装置に適用されるインターフェース機器とモーションセンサ部の一構成例を示すブロック図である。ここで、上述した第１の実施形態と同等の構成については、同一の符号を付して説明を簡略化する。
【００７３】
第２の実施形態に係る運動支援装置は、図１３（ａ）〜（ｃ）に示すように、ユーザＵＳが手首に装着するインターフェース機器１００と、胸部に装着するモーションセンサ部２００と、を有している。ここで、インターフェース機器１００は、上述した第１の実施形態と同様に、図１３（ｂ）に示すように、リストウォッチ型の外観を有し、表示部１３１を備えた機器本体１０１と、機器本体１０１を手首に装着するためのベルト部１０２と、を備えている。また、モーションセンサ部２００は、図１３（ｃ）に示すように、大別して、センサ部を備えた機器本体２０１と、ユーザＵＳの胸部に巻き付けることにより機器本体１０１を胸部に装着するためのベルト部２０２と、を備えている。
【００７４】
インターフェース機器１００は、図１４に示すように、大別して、入力インターフェース部１２０と、出力インターフェース部１３０と、通信機能部１５０と、ＣＰＵ１４１と、メモリ１４２と、動作電源１４３と、を有している。ここで、入力インターフェース部１２０と、出力インターフェース部１３０と、ＣＰＵ１４１と、メモリ１４２と、動作電源１４３とは、上述した第１の実施形態と同等の構成を有している。通信機能部１５０は、例えば通信回路１５１と、アンテナ１５２とを有し、モーションセンサ部２００との間で、無線通信により種々のデータの伝送を行う。
【００７５】
モーションセンサ部２００は、図１４に示すように、大別して、センサ部２１０と、操作スイッチ２２１と、通信機能部２５０と、ＣＰＵ２４１と、メモリ２４２と、動作電源２４３と、を有している。ここで、センサ部２１０と、ＣＰＵ２４１と、メモリ２４２と、動作電源２４３とは、上述した第１の実施形態に示したセンサ部１１０と、ＣＰＵ１４１と、メモリ１４２と、動作電源１４３と同等の構成を有している。操作スイッチ２２１は、例えばボタンスイッチやスライドスイッチを有し、操作スイッチ２２１を操作することにより、動作電源２４３からモーションセンサ部２００内部の各構成への駆動電力の供給（電源オン）や遮断（電源オフ）、センサ部２１０におけるセンシング動作の開始及び停止等が制御される。通信機能部２５０は、例えば通信回路２５１と、アンテナ２５２とを有し、上述したインターフェース機器１００との間で、無線通信により種々のデータの伝送を行う。
【００７６】
ここで、インターフェース機器１００とモーションセンサ部２００との間のデータの伝送方法については、無線通信による方式として、例えばデジタル機器用の近距離無線通信規格であるブルートゥース（Bluetooth（登録商標））や、この通信規格において低消費電力型の規格として策定されたブルートゥースローエナジー（Bluetooth（登録商標） low energy）等を良好に適用することができる。また、本実施形態に適用可能な他の伝送方法としては、例えば通信ケーブルを介した有線による通信方式を適用することもできる。この場合においては、インターフェース機器１００の通信機能部１５０のアンテナ１５２、及び、モーションセンサ部２００の通信機能部２５０のアンテナ２５２を省略することができる。
【００７７】
本実施形態においても、上述した第１の実施形態と同様の運動支援方法を実行することにより、同等の作用効果を得ることができる。すなわち、本実施形態における運動支援方法の一例は、モーションセンサ部２００に内蔵されたセンサ部２１０により、加速度データや角速度データ等の各種のセンサデータが取得され、メモリ２４２に保存されるとともに、当該センサデータに基づいてペースやピッチ、ストライドが測定又は算出される。そして、これらのペースやピッチ、ストライドについて、上述した第１の実施形態に示した分析方法及び報知方法を適用して、ユーザＵＳの現在時点の運動動作状態やその問題箇所を判定する。判定された運動動作状態やその問題箇所を示す分析データ（分析結果）は、通信機能部２５０を介してインターフェース機器１００に伝送される。これらの一連の動作はＣＰＵ２４１により制御される。
【００７８】
一方、インターフェース機器１００は、通信機能部１５０を介して伝送された上記の分析データを、メモリ１４２に保存するとともに、判定された運動動作状態やその問題箇所に応じた報知方法により、出力インターフェース部１３０を介して、ユーザＵＳに運動支援情報が報知される。これらの一連の動作はＣＰＵ１４１により制御される。
【００７９】
また、本実施形態における運動支援方法の他の例は、モーションセンサ部２００に内蔵されたセンサ部２１０により各種のセンサデータが取得され、メモリ２４２に保存されるとともに、通信機能部２５０を介してインターフェース機器１００に伝送される。
【００８０】
一方、インターフェース機器１００は、通信機能部１５０を介して伝送された上記のセンサデータを、メモリ１４２に保存するとともに、当該センサデータに基づいてペースやピッチ、ストライドを測定又は算出し、上述した第１の実施形態に示した分析方法及び報知方法を適用して、ユーザＵＳの現在時点の運動動作状態やその問題箇所を判定する。そして、判定された運動動作状態やその問題箇所に応じた報知方法により、出力インターフェース部１３０を介して、ユーザＵＳに運動支援情報が報知される。
【００８１】
このような運動支援方法を実行することにより、上述した第１の実施形態と同様に、ユーザＵＳは、自己の運動動作状態（走行状態）や問題箇所を的確に把握することができ、その問題箇所を改善するように意識して動作することにより、競技やトレーニング全体を通して記録の向上を図ることができる。
【００８２】
また、本実施形態においては、センサ部２１０を備えるモーションセンサ部２００と、入力インターフェース部１２０及び出力インターフェース部１３０を備えるインターフェース機器１００とが別体の機器として構成されているので、センサ部２１０をユーザＵＳの運動動作状態を適切に検出（センシング）することができる任意の部位に装着することができる。したがって、センサ部２１０により検出される各種のセンサデータの精度を高めることができ、ユーザＵＳに対して、より正確な運動動作状態に基づく運動支援情報を報知することができる。
【００８３】
なお、本実施形態においては、モーションセンサ部２００として、ユーザＵＳの胸部に装着するチェストセンサ型の構成を示したが、本発明はこれに限定されるものではない。すなわち、モーションセンサは、少なくとも、入出力インターフェース部を備えたインターフェース機器と別体の構成を有していればよく、また、その装着位置もユーザの足、腰、胸等、身体の任意の部位に任意の形態で装着されているものであってもよい。
【００８４】
ここで、本実施形態に示したように、モーションセンサ部２００がチェストセンサ型の構成を有している場合には、センサ部２１０にユーザＵＳの運動中の心拍を検出する心拍センサを、さらに備えるものであってもよい。この場合、モーションセンサ部２００により検出された心拍データが、通信機能部２５０を介してインターフェース機器１００に伝送されて、メモリ１４２に保存されるとともに、表示部１３１に現在時点の心拍数の数値情報として表示されるものであってもよい。そして、第１の実施形態に係る運動支援方法に示した分析方法や報知方法を適用して、ペースやピッチと同様に、予め設定された数値範囲を逸脱する心拍数が検出された場合には、インターフェース機器１００の出力インターフェース部１３０において警告動作や注意動作を実行して、ユーザＵＳに異常を報知するものであってもよい。
【００８５】
また、上述した各実施形態においては、インターフェース機器１００として、手首に装着するリストウォッチ型の構成を示したが、本発明はこれに限定されるものではない。すなわち、インターフェース機器に備えられた表示部に表示された数値情報や文字情報等を、ユーザが視認しやすい、又は、視認できる位置に装着するものであれば、他の構成の電子機器を、身体の他の部位に装着するものであってもよい。例えば、携帯電話機やスマートフォン等の表示装置を備えた電子機器を適用して、手首や上腕等に装着するものであってもよいし、眼鏡型の表示装置を備えた電子機器を適用するものであってもよい。
【００８６】
また、上述した各実施形態に示した運動支援装置において、インターフェース機器１００のメモリ１４２や、モーションセンサ部２００のメモリ２４２に保存された各種のセンサデータや分析データは、運動の終了後、無線や有線による通信方式を適用して、あるいは、メモリカード等を介して、パーソナルコンピュータや携帯電話機、スマートフォン、タブレット端末等の外部電子機器に伝送することができるものであってもよい。これによれば、例えば、上述した分析方法において、一連の処理に適用された分析結果（図６（ａ）、（ｂ））を、外部電子機器に備えられた表示装置に表示、閲覧することができるので、競技やトレーニングにおける運動動作状態やその問題箇所を再確認したり、詳細に分析したりして、次回以降の競技やトレーニングの際に有効に活用することができる。
【００８７】
また、上述した各実施形態においては、本発明に係る運動支援装置や運動支援方法が適用される運動の一例として、ユーザがマラソン大会に参加する場合や、ランニング等のトレーニングを行う場合について説明したが、本発明はこれに限定されるものではない。例えばウォーキングやサイクリング等の競技に参加する場合や、そのトレーニング等の運動を行う場合であってもよい。
【００８８】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００８９】
（付記）
［１］
歩行又は走行の運動動作中の利用者の運動動作状態に関連する動作データを、該利用者の前記運動動作中に検出する検出部と、
前記検出部が前記動作データを検出する毎に、検出された前記動作データに基づいて、前記利用者の移動速度に関連する値を有する第１の動作情報値と前記利用者の単位時間当たりの歩数に関連する値を有する第２の動作情報値とを取得し、前記第１の動作情報値を該第１の動作情報値の許容範囲として予め設定された第１の数値範囲と比較し、前記第２の動作情報値を該第２の動作情報値の許容範囲として予め設定された第２の数値範囲と比較する分析判定部と、
前記分析判定部により前記第１又は第２の動作情報値の少なくとも一方が対応する前記第１又は第２の数値範囲外の値を有していると判定されたときに、前記第１又は前記第２の数値範囲外の値を有している前記第１又は第２の動作情報値に対する報知動作を、前記利用者の前記運動動作中に実行する出力部と、
を備えることを特徴とする運動支援装置である。
【００９０】
［２］
前記分析判定部は、更に、前記第１の動作情報値と前記第２の情報値とに基づいて、前記利用者の移動距離を取得し、前記移動距離に対して所定の距離毎の複数の移動距離範囲を設定し、
前記第１の数値範囲及び前記第２の数値範囲は、前記各移動距離範囲に対して設定され、
前記分析判定部は、取得した前記移動距離が含まれる前記移動距離範囲に対して設定されている前記第１の数値範囲及び前記第２の数値範囲を用いて前記比較を行うことを特徴とする［１］に記載の運動支援装置である。
［３］
前記第１の数値範囲及び前記第２の数値範囲は、それぞれ、上限値と下限値を有し、
前記分析判定部は、前記第１の動作情報値及び前記第２の動作情報値が、対応する前記第１の数値範囲又は前記第２の数値範囲のそれぞれの前記上限値より大きい値であるか、前記下限値より小さい値であるか、前記上限値と前記下限値の範囲内の値であるかを判定し、
前記出力部は、文字情報を含む画像を表示する表示部を有し、
前記出力部は、前記分析判定部により、前記第１の動作情報値及び前記第２の動作情報値が、対応する前記第１の数値範囲又は前記第２の数値範囲のそれぞれの前記上限値と前記下限値の範囲内の値であると判定されたとき、前記表示部に、前記画像情報として、前記第１の動作情報値及び前記第２の動作情報値に対応した第１の画像に含まれる文字情報の文字を第１の大きさ及び第１の文字色で表示する標準表示を行い、前記分析判定部により、前記第１の動作情報値と前記第２の動作情報値の一方が、対応する前記第１の数値範囲又は前記第２の数値範囲の範囲外の値であると判定されたとき、前記報知動作として、前記第１の動作情報値と前記第２の動作情報値の前記一方に対応した第２の画像に含まれる文字情報の文字を、（ｉ）前記表示部に前記第１の大きさより大きい第２の大きさで表示する、（ii）前記表示部に前記文字を前記第１の文字色と異なる第２の文字色で表示する、（iii）前記表示部に前記文字を第１の時間間隔で点滅表示する、の少なくとも何れかで表示する注意表示を行い、
前記出力部は、前記分析判定部により、前記第１の動作情報値及び前記第２の動作情報値が、共に、対応する前記第１の数値範囲又は前記第２の数値範囲のそれぞれの範囲外の値であると判定されたとき、前記報知動作として、前記第１の動作情報値及び前記第２の動作情報値に対応した第３の画像に含まれる文字情報の文字を、（iv）前記表示部に前記第１の大きさより大きい第３の大きさで表示する、（ｖ）前記表示部に前記第１の文字色と異なる第３の文字色で表示する、（vi）前記表示部に前記文字を前記第１の時間間隔と異なる第２の時間間隔で点滅表示する、の少なくとも何れかで表示する警告表示を行うことを特徴とする［１］又は［２］に記載の運動支援装置である。
［４］
前記出力部は、
前記注意表示において、前記分析判定部により、前記第１の動作情報値と前記第２の動作情報値の一方が、対応する前記第１の数値範囲又は前記第２の数値範囲の前記上限値より大きい値であると判定されたときと、前記下限値より小さい値であると判定されたときと、で前記第２の画像に含まれる文字情報の文字を互いに異なる色で表示し、
前記警告表示において、前記分析判定部により、前記第１の動作情報値が前記第１の数値範囲の前記上限値より大きい値であると判定されたときと、前記下限値より小さい値であると判定されたときと、で前記第１の動作情報値に対応する前記文字の色を互いに異なる色に設定し、前記分析判定部により、前記第２の動作情報値が前記第２の数値範囲の前記上限値より大きい値であると判定されたときと、前記下限値より小さい値であると判定されたときと、で前記第３の画像に含まれる文字情報の文字を互いに異なる色で表示することを特徴とする［３］に記載の運動支援装置である。
［５］
前記第２の画像に含まれる文字情報は、前記分析判定部により、前記第１の動作情報値が前記第１の数値範囲の範囲外の値であると判定されたとき、前記利用者の前記移動速度の数値を示す文字を含み、前記分析判定部により、前記第２の動作情報値が前記第２の数値範囲の範囲外の値であると判定されたとき、前記利用者の前記歩数の数値を示す文字を含み、
前記第３の画像情報に含まれる文字情報は、前記利用者の前記移動速度の数値と前記利用者の前記歩数の数値とを示す文字を含むことを特徴とする［３］又は［４］に記載の運動支援装置である。
［６］
前記第２の画像に含まれる文字情報は、前記分析判定部により、前記第１の動作情報値が前記第１の数値範囲の範囲外の値であると判定されたとき、前記利用者に対して前記移動速度を前記第１の数値範囲の範囲内の値にするように指示する文言の文字を含み、前記分析判定部により、前記第２の動作情報値が前記第２の数値範囲の範囲外の値であると判定されたとき、前記利用者に対して前記歩数を前記第２の数値範囲の範囲内の値にするように指示する文言の文字を含み、
前記第３の画像情報に含まれる文字情報は、前記利用者に対して前記移動速度を前記第１の数値範囲の範囲内の値にし、且つ、前記歩数を前記第２の数値範囲の範囲内の値にするように指示する文言の文字を含むことを特徴とする［４］又は［５］に記載の運動支援装置である。
［７］
前記出力部は、
前記標準表示において、前記表示部の背景部分の表示色を第１の背景色に設定し、
前記注意表示において、（vii）前記表示部の背景部分の表示色を前記第１の背景色と異なる第２の背景色に設定する、（viii）前記表示部の背景部分を第３の時間間隔で点滅表示する、の少なくとも何れかを行い、
前記警告表示において、（ix）前記表示部の背景部分の表示色を前記第１の背景色及び前記第２の背景色と異なる第３の背景色に設定する、（ｘ）前記表示部の背景部分を前記第２の時間間隔と異なる第４の時間間隔で点滅表示する、の少なくとも何れかを行うことを特徴とする［３］乃至［６］のいずれかに記載の運動支援装置である。
［８］
前記出力部は、さらに、音を発生する音響部を有し、
前記出力部は、
前記分析判定部により、前記第１の動作情報値と前記第２の動作情報値の一方が、対応する前記第１の数値範囲又は前記第２の数値範囲の範囲外の値であると判定されたとき、前記報知動作として、前記音響部に第１の音による注意音を発生させ、
前記分析判定部により、前記第１の動作情報値及び前記第２の動作情報値が共に、対応する前記第１の数値範囲又は前記第２の数値範囲のそれぞれの範囲外の値であると判定されたとき、前記報知動作として、前記音響部に前記第１の音と異なる第２の音による警告音を発生させることを特徴とする［１］乃至［７］のいずれかに記載の運動支援装置である。
［９］
前記出力部は、さらに、振動を発生する振動部を有し、
前記出力部は、
前記分析判定部により、前記第１の動作情報値と前記第２の動作情報値の一方が、対応する前記第１の数値範囲又は前記第２の数値範囲の範囲外の値であると判定されたとき、前記報知動作として、前記振動部に第１の振動パターンの振動を発生させ、
前記分析判定部により、前記第１の動作情報値及び前記第２の動作情報値が共に、対応する前記第１の数値範囲又は前記第２の数値範囲のそれぞれの範囲外の値であると判定されたとき、前記報知動作として、前記振動部に前記第１の振動パターンと異なる第２の振動パターンの振動を発生させることを特徴とする［１］乃至［８］のいずれかに記載の運動支援装置である。
［１０］
前記検出部は、前記利用者の前記移動速度の変化の割合を前記動作データとして検出する加速度センサと、前記利用者の移動方向の変化を前記動作データとして検出する角速度センサと、を有することを特徴とする［１］乃至［９］のいずれかに記載の運動支援装置である。
［１１］
前記検出部は、前記人体の地理的な位置と、前記人体の前記移動速度と、を前記動作データとして検出する位置センサを、さらに有することを特徴とする［１０］に記載の運動支援装置である。
【００９１】
［１２］
歩行又は走行の運動動作中の利用者の運動動作状態に関連する動作データを、該利用者の前記運動動作中に検出し、
前記動作データを検出する毎に、前記検出した前記動作データに基づいて、前記利用者の移動速度に関連する第１の動作情報値と、前記利用者の単位時間当たりの歩数に関連する第２の動作情報値とを取得し、
前記第１の動作情報値を該第１の動作情報値の許容範囲として予め設定された第１の数値範囲と比較し、
前記第２の動作情報値を該第２の動作情報値の許容範囲として予め設定された第２の数値範囲と比較し、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行することを特徴とする運動支援方法である。
【００９２】
［１３］
コンピュータに、
歩行又は走行の運動動作中の利用者の運動動作状態に関連する動作データを、該利用者の前記運動動作中に検出させ、
前記動作データを検出する毎に、前記検出した前記動作データに基づいて、前記利用者の移動速度に関連する第１の動作情報値と、前記利用者の単位時間当たりの歩数に関連する第２の動作情報値とを取得させ、
前記第１の動作情報値を該第１の動作情報値の許容範囲として予め設定された第１の数値範囲と比較させ、
前記第２の動作情報値を該第２の動作情報値の許容範囲として予め設定された第２の数値範囲と比較させ、
前記第１又は第２の動作情報値の少なくとも一方が前記第１又は第２の数値範囲外の値を有していると判定されたときに、前記第１又は第２の数値範囲外の値を有している前記第１又は第２の動作情報値に対する報知動作を、前記利用者の前記運動動作中に実行させることを特徴とする運動支援プログラムである。
【符号の説明】
【００９３】
１００    インターフェース機器
１０１    機器本体
１０２    ベルト部
１１０    センサ部（検出部）
１１１    加速度センサ
１１２    ジャイロセンサ
１１３    ＧＰＳ受信回路（位置センサ）
１２０    入力インターフェース部
１２１    操作スイッチ
１２２    タッチパネル
１３０    出力インターフェース部（出力部）
１３１    表示部
１３２    音響部
１３３    振動部
１４１    ＣＰＵ（分析判定部）
１４２    メモリ（分析判定部）
１５０    通信機能部
２００    モーションセンサ部
２０１    機器本体
２０２    ベルト部
２１０    センサ部
２２１    操作スイッチ
２４１    ＣＰＵ
２４２    メモリ
２５０    通信機能部
ＵＳ      ユーザ
【図１】
2014045782.tif 000003
【図２】
2014045782.tif 000004
【図３】
2014045782.tif 000005
【図４】
2014045782.tif 000006
【図５】
2014045782.tif 000007
【図６】
2014045782.tif 000008
【図７】
2014045782.tif 000009
【図８】
2014045782.tif 000010
【図９】
2014045782.tif 000011
【図１０】
2014045782.tif 000012
【図１１】
2014045782.tif 000013
【図１２】
2014045782.tif 000014
【図１３】
2014045782.tif 000015
【図１４】
2014045782.tif 000016